(57)【要約】【課題】股下寸法の調整が簡単で、着心地をあまり損ねることがない衣服の提供を目的とする。【解決手段】先端部に連結対１の一方１ａが固定され、裏側に連結対１の他方１ｂが裾丈方向に適宜間隔で連設される股下部２を有し、  連結対１を選択して連結することにより股下寸法が調整可能に構成する。  本発明によれば、股下部２には、連結対１の一方１ａが先端部に、他方が裾丈方向に適宜間隔で固定され、連結対１を選択して連結することにより股下寸法、すなわち裾丈寸法を調整することができる。【選択図】  図１
2006291384.tif 000002
【特許請求の範囲】
【請求項１】
先端部に連結対の一方が固定され、裏側に連結対の他方が裾丈方向に適宜間隔で連設される股下部を有し、
連結対を選択して連結することにより股下寸法が調整可能な衣服。
【請求項２】
前記連結対の一方は裾折り返し部に、他方は前身頃の生地と後ろ身頃の生地の縫い代部に固定される請求項１記載の衣服。
【請求項３】
前記連結対がスナップにより構成され、着脱自在に弾発係止して連結する請求項１または２記載の衣服。
【発明の詳細な説明】
【技術分野】
【０００１】
本発明は衣服に関するものであり、より詳細には股下寸法が調整可能な衣服に関するものである。
【背景技術】
【０００２】
従来、衣服の股下寸法が合わない場合には、例えば、裾を表側に巻き上げるなどして調整することが知られている。しかしながら、このようにして調整した場合には、巻き上げた部分が表側に飛び出してしまうために、歩いている際などに物に引っかかりやすくなってしまうという不都合がある。
【０００３】
このような不都合を解消可能なものとして、近年、特許文献１に記載されたものが提案されている。この従来例において、ズボンの表生地の先端には裏地と布テープのそれぞれの一端が縫い付けられ、裏地の反対端は、ズボンの裾よりも上方に縫い付けられる。上記布テープは、表生地先端と裏地との縫い付け部に設けられる開口部と、裏地の反対端に縫い付けられるテープ通しとを通ってズボンの下端から引き出され、引っ張られることにより表生地の下端を該表生地と裏地との間に引き込むようにしてズボンの裾長さを短くする。この後布テープをカットして裾の折り返し部分に縫い付けることにより裾長さの調整が完了する。
【特許文献１】特開２００２-２６６１１６号公報
【発明の開示】
【発明が解決しようとする課題】
【０００４】
しかしながら、上記従来例においては、引っ張った布テープを縫い付けなければならないために、手間がかかるという欠点がある。
【０００５】
また、表生地や裏地のそれぞれを重ねるようにすることで裾長さを合わせることが簡単になる反面、調整後には嵩張ってしまい、着心地が悪くなってしまう。
【０００６】
本発明は、以上の欠点を解消すべくなされたものであって、股下寸法の調整が簡単で、着心地をあまり損ねることがない衣服の提供を目的とする。
【課題を解決するための手段】
【０００７】
本発明によれば上記目的は、
先端部に連結対１の一方１ａが固定され、裏側に連結対１の他方１ｂが裾丈方向に適宜間隔で連設される股下部２を有し、
連結対１を選択して連結することにより股下寸法が調整可能な衣服を提供することにより達成される。
【０００８】
本発明によれば、股下部２には、連結対１の一方１ａが先端部に、他方が裾丈方向に適宜間隔で固定され、連結対１を選択して連結することにより股下寸法、すなわち裾丈寸法を調整することができる。上記連結対１の他方１ｂの配置間隔は裾丈の調整間隔による使い勝手等を考慮して適宜決定することが可能であり、小さい幅に設定すれば長さ調整が実質的に自在になるし、平均的な股下寸法近傍をその他の寸法範囲より小さい幅に設定するなど配置に粗密をつけることで製造コストに比して一般的な利便性を高めることができる。また、連結対１の他方１ｂの配置領域は、衣服のサイズの種類、裾丈の調整可能範囲による使い勝手、生地の使用効率や着心地などを考慮して適宜決定することが可能で、例えば、膝下に対応する範囲に限定すれば、一般に足との接触をより少なくして着心地を高めることが可能となる。
【０００９】
また、連結対１の一方１ａを股下部２の先端部に、他方１ｂを股下部２の裏側、すなわち股下部２の生地の足が挿通される側に固定することにより、連結対１の連結状態において、引き上げられる先端部側の生地を衣服の内側に収容することができる。したがって、寸法調整のための生地の引き上げ部分が歩行時等において物の引っかかりを惹起するようなことはない。また、寸法調整のために引き上げられる生地を外部に出さないことで、調整量の大小によって外観を変化させてデザインを損ねてしまうようなことも防止される。
【００１０】
なお、本発明における衣服は、股下部２を備えた衣類、例えばスラックス、パンツ等の下半身にはかれる所謂ズボンや、上半身を覆う上着部分と下半身を覆うズボン部分が繋がっている所謂つなぎなどの衣類を指す。
【００１１】
さらに、連結対１は、裾丈方向に沿って固定されてさえいれば連結のしやすさという面ではあまり問題がないが、股下部２の生地によっては適宜の固定強度が確保できない場合もあり、この場合には裏打ちを施さなければならなくなってしまう。この点、例えば、上述した連結対１の一方１ａを股下部２の裾折り返し部３に、他方を前身頃の生地４と後ろ身頃の生地５の縫い代部６に固定すれば、固定強度を可及的に高めることができる。上記連結対１の一方１ａは裾折り返し部３の表側、すなわち衣服の表側に固定することも不可能ではないが、裏側に固定すれば、連結対１の他方１ａとの連結操作をスムーズにすることができる。また、上記連結対１の一方１ａが裏側に配置されれば、連結対１の非連結状態において隠れることになるために、非連結状態での使用時に外観に影響を与えるようなことがない。
【００１２】
以上の連結対１は、例えば、ボタンとボタンホールや、面ファスナー、フックとフック受け、接着テープと接着しろなど多種多様に構成することが可能であるが、スナップを用いた場合には、高い耐久性および操作性を備えて着脱自在にすることができ、裾丈の調整がしやすくなる上に、安価に製作することができる。また、このように着脱自在性を高めることで、洗濯等をしやすくすることができる。
【発明の効果】
【００１３】
以上の説明から明らかなように、本発明によれば、股下寸法の調整が簡単で、着心地をあまり損ねることがない衣服を提供できるために、寸法合わせに要する労力や時間、コストなどの低減を図ることができる。
【発明を実施するための最良の形態】
【００１４】
図１に本発明の実施の形態を示す。この実施の形態は本発明をスラックスに適用したもので、スラックスは、図１に示すように、下腹部１１と股下部２を備えて構成される。このスラックスは、前身頃の生地４と後ろ身頃の生地５を脇縫いおよび内股縫いにより連結して構成される。また、前身頃の生地４と後ろ身頃の生地５のそれぞれは裁ち切りにした左右それぞれの生地を尻縫いおよび小股縫いにより縫い合わせて形成される。この実施の形態において、上記生地４、５には例えば毛とポリエステルなどを含むいわゆる混紡繊維が使用されるが、天然繊維のみ、あるいは化学繊維のみからなる生地を用いることも可能である。なお、図１において下腹部１１に配置される１２は腰帯、１３はタック、１４はポケット、１５は前立てであり、腰帯１２にはベルト通し１６が設けられ、下腹部１１の内側には図示しない裏地や持ち出し、シックが設けられる。
【００１５】
上記股下部２は、上述した前身頃の生地４と後ろ身頃の生地５を脇縫いおよび内股縫いにより両足に対応する２本の筒形状に縫製して形成される。各足に対応する筒形状の各足対応部１７には、図１（ａ）に一点鎖線で示すように前後に折り目２０が入れられ、また、その先端には接着芯２１を取り付けて形成される裾折り返し部３が設けられる。この裾折り返し部３は、接着芯２１を入れて生地を三つ折り縫いすることにより形成される。
【００１６】
上記接着芯２１は、帯形状に形成され、図２（ｂ）に示すように、表地２２から折り返される第一折り返し片２２および第二折り返し片２３により包み込まれて外部に露出しないようにされる。この接着芯２１の上端縁部は、股下部２の表裏に表地２２、第一折り返し片２２、および第二折り返し片２３を貫通するようにして縫い付けられ、下端縁部は、接着される第二折り返し片２３にのみ縫い付けられて縫い目が股下部２の表側に多く出ないように配慮される。また、上述した折り目２０をきれいに出しやすくするために、接着芯２１は、図２（ａ）に示すように、折り目２０を境に脇内股方向に分割される。
【００１７】
また、上述した股下部２において、前身頃の生地４と後ろ身頃の生地５は、図３（ｂ）に示すように、地縫いすることにより連結され、生地端にはかがり縫いにより裁ち目処理１８が施される。この地縫いの縫い代（縫い代部６）は１ｃｍ程度で、縫い代６は後ろ身頃側に片倒し、すなわち縫製されたそれぞれの生地端を重ねて一方向に倒すようにされる。
【００１８】
さらに、上述した裾折り返し部３および縫い代６を取り付け基部として、股下部２には裾丈調整のためのスナップ（連結対１）が固定される。スナップ１は市販されている金属製、あるいは合成樹脂製等の適宜のもので、弾発係止する着脱自在の凸形のオス１ａと凹形のメス１ｂを有する。図１および図３（ａ）に示すように、このスナップ１はスラックスの内側、すなわち股下部２の生地の裏側に縫い付けられて取り付けられ、裾折り返し部３を股下部２の各足対応部１７の内側に巻き上げた状態で係止されることにより以降の裾折り返し部３のずり落ちを防止し、裾丈を調整する。なお、図３（ａ）および（ｂ）において２５はスナップ１を縫い代６に縫い付けている縫い糸である。
【００１９】
裾折り返し部３をあまり遊びがない状態で所定位置に保持するために、スナップ１のオス１ａ・メス１ｂは、一方が筒形状の各足対応部１７の下端部に、他方がこれよりも上方に取り付けられる。この実施の形態においては、図３（ａ）に示すように、股下部２の左足対応部１７Ａ（図１における股下部２右側の足対応部１７）の脇縫い側の縫い代６ではオス１ａが裾折り返し部３に、メス１ｂがオス１ａの裾丈方向上方に固定される。なお、図１（ａ）に示すように、反対の内股縫い側の縫い代６においては、逆にメス１ｂが裾折り返し部３に、オス１ａが裾丈方向上方に固定され、したがって股下部２を折り目２０で折ったときにスナップ１で連結することができ、アイロンがけがしやすくされる。
【００２０】
このメス１ｂは、図１および図３（ａ）に示すように、股下部２の裾から上方に向かって所定間隔に複数が固定され、オス１ａを異なるメス１ｂに連結することによりメス１ｂの配置ピッチに応じて足対応部１７、すなわち股下部２の裾丈を多段階に調整可能にされる。この実施の形態において、メス１ｂは、股下部２の先端、いわゆる裾口より上６ｃｍの位置から腰帯１２に向かって５ｃｍ間隔で取り付けられる。また、このようにして取り付けられるこのメス１ｂの取り付け範囲は、図１に示すように、足対応部１７の膝下に対応する範囲に対応する。なお、膝に対応する位置は、経験則上、例えば股下丈の丈方向中心位置より５ｃｍ等やや下方に設定される。
【００２１】
したがってスラックスの股下寸法を調整する際には、図４（ａ）、および同図（ｂ）において矢印で示すように、裾を筒形状の足対応部１７の内側に折り返すようにして引き上げ、適宜オス１ａ・メス１ｂを連結すればよく、スナップ１が脇縫いおよび内股縫いのそれぞれの縫い代６に対応して配置されることにより筒形状の足対応部１７の裾部は周方向における２カ所で裾丈方向上方にしっかりと保持される。また、オス１ａ・メス１ｂを連結する際には、弾発係止により連結感が得られるために、手先が器用であれば足対応部１７の生地を裏返さなくても裾丈調整を行うことが可能となる。この後、必要に応じて、裾折り返し部３の上方への移動により新たに足対応部１７の下端に位置することになった箇所を折り目２０に沿ってアイロンでしっかりと割るなどすれば、裾丈調整は完了する。
【００２２】
この状態において、股下部２の膝下対応部には、裾丈の調整量に応じて巻き上げられた生地が内部に収容された状態となっており、外観は裾丈調整前後において変わることなくその意匠性が維持される。また、図３に示すようにいくつかのメス１ｂ、１ｂ・・は、足対応部１７の内側、すなわち足が挿通される側に露出する場合があるが、大きさが極めて小さい上に、生地からの突出寸法も小さく、また、スラックス着用時に比較的ルーズになる膝下に対応する範囲内であるために着心地をあまり害することはない。
【００２３】
また、この後再度寸法調整したい場合には、スナップ１を解いてから上述した手順を再度繰り返せばよい。加えて、洗濯の際にも同様にスナップ１を解けば裾丈調整のために折り返された部分を含めて、全体をほぼ均一にきれいに洗うことができる。
【００２４】
以上のスラックスの製造は、先ず、前身頃の生地４と後ろ身頃の生地５をロックミシンによりいわゆるインターロックを用いて脇縫いおよび内股縫いにより連結するなどして裾丈調整構造がないほぼ一般的なスラックスを製作する。次いで、この一般的なスラックスの足対応部１７を裏返しにして、股下部２の先端部に折り接着芯２１を接着して裾折り返し部３をつくるとともに、脇縫いおよび内股縫いの縫い代６、および裾折り返し部３に手付け、あるいは適宜の機械を用いてスナップ１のオス１ａ・メス１ｂを取り付けることにより完了する。
【００２５】
また、販売においては、スラックスは、一般に基本身体寸法としてのウエストサイズの単数表示で管理されるため、基本的にはウエストサイズに応じた種類を製造、在庫しておく必要があるものの、特定衣料寸法としての股下丈は、上述したように調整できるために、その種類を少なくすることができる。したがって、製造効率の向上を図ることができる。
【００２６】
図５に本発明の変形例を示す。なお、この変形例において、上述した実施の形態と同一の構成要素は図中に同一の符号を付して説明を省略する。この変形例において、前身頃の生地４と後ろ身頃の生地５を連結する脇縫いおよび内股縫いの縫い代６の処理は、上述した片倒しではなく、図５（ｂ）に示すように、縫い割り、すなわち縫製されたそれぞれの生地端を開くようにされる。また、スナップ１には、テープ状の生地等からなる基材１９上に所定間隔で合成樹脂等からなる凸形のオス１ａあるいはリング状のメス１ｂを固定するなどして形成されるテーピースナッパーが使用される。
【００２７】
したがって、この変形例においては、図５（ａ）に示すように、テーピースナッパー１のオス１ａあるいはメス１ｂの一方を裾折り返し部３に単数取り付け、また、縫い割りによりやや広い幅寸法を有する脇縫い等の縫い代６に基材１９をオス１ａまたはメス１ｂの他方が複数固定されたテープ状のまま取り付ければ製作することができる。この際、テーピースナッパー１は四方端飾り縫いで縫い付ければ固定強度を高めることができる。
【００２８】
なお、以上の実施の形態、変形例においては、スラックスに裾折り返し部３を設け、スナップ１の一方１ａ（１ｂ）を裾折り返し部３に固定する場合を示したが、裾折り返し部３を設けずに、股下部２の生地の裾部、すなわち先端部に直接、あるいは適宜の裏打ちを施して固定するようにして構成することも可能である。
【図面の簡単な説明】
【００２９】
【図１】本発明を示す図で、（ａ）は正面図、（ｂ）は側面図である。
【図２】裾折り返し部を説明する図で、（ａ）は正面図、（ｂ）は（ａ）の２Ｂ-２Ｂ線断面図である。
【図３】股下部の要部を示す図で、（ａ）は図１（ａ）における２Ａ-２Ａ線断面図、（ｂ）は（ａ）における２Ｂ-２Ｂ線断面図である。
【図４】股下寸法の調整状態を示す図で、（ａ）は股下部の要部側面図、（ｂ）は要部端断面図である。
【図５】本発明の変形例を示す図で、（ａ）は図２（ａ）に対応する図、（ｂ）は図２（ｂ）に対応する図である。
【符号の説明】
【００３０】
１    連結対
１ａ  連結対の一方
１ｂ  連結対の他方
２    股下部
３    裾折り返し部
４    前身頃の生地
５    後ろ身頃の生地
６    縫い代部
【図１】
2006291384.tif 000003
【図２】
2006291384.tif 000004
【図３】
2006291384.tif 000005
【図４】
2006291384.tif 000006
【図５】
2006291384.tif 000007